【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
共有者と被共有者の間で、コンピュータシステム内の項目を共有する方法であって、
スコープおよび基準を含むクエリを前記共有者のコンピュータ上で実行すること、
前記クエリの結果に基づき、前記共有者のコンピュータ上で、複数の参照項目を有するリストを作成すること、
被共有者が、前記共有者のコンピュータにある前記参照項目へのアクセス権を与えられるように、前記リストを被共有者と共有すること
を含むことを特徴とする方法。
【請求項２】
前記リストは静的リストであることを特徴とする請求項１記載の方法。
【請求項３】
前記共有者が前記リストから項目を削除すると、前記被共有者は、前記項目へのアクセス権を与えられなくなることを特徴とする請求項２記載の方法。
【請求項４】
項目が前記リストに追加されると、前記被共有者は、前記追加項目へのアクセス権を与えられることを特徴とする請求項２記載の方法。
【請求項５】
前記リストは、前記参照項目に関するスコープおよび基準の組を有する動的リストであることを特徴とする請求項１記載の方法。
【請求項６】
前記動的リストにある項目が、前記動的リストの前記基準を満たさなくなるようにプロパティを変更すると、前記被共有者は、前記項目へのアクセス権を与えられなくなることを特徴とする請求項５記載の方法。
【請求項７】
前記動的リストになかった項目が、前記動的リストの前記基準を満たすようにプロパティを変更すると、前記被共有者は、前記項目へのアクセス権を与えられることを特徴とする請求項５記載の方法。
【請求項８】
前記共有者は、前記被共有者が前記項目に対してもっているアクセス権の種類を限定することができることを特徴とする請求項１記載の方法。
【請求項９】
コンピュータシステム上の項目を共有する方法であって、
前記共有者のコンピュータ上で参照項目を有するリストにアクセスするためのアクセス許可を受け取ることであって、前記参照項目は、前記共有者のコンピュータ上で実行されるクエリの結果に基づくこと、
前記リストにアクセスするための前記アクセス許可の受取りに応答して、前記リストおよび前記参照項目にアクセスすること
を含むことを特徴とする方法。
【請求項１０】
前記リストは、仮想フォルダとして形成される静的リストであることを特徴とする請求項９記載の方法。
【請求項１１】
前記リストに項目が追加され又は削除されると、前記項目にアクセスするための前記アクセス許可がそれに応じて追加され又は削除されることを特徴とする請求項１０記載の方法。
【請求項１２】
前記リストは、前記参照項目に関する１組の基準を有する仮想フォルダとして形成される動的リストであることを特徴とする請求項９記載の方法。
【請求項１３】
項目が、前記動的リストの前記基準を満たし又は満たさなくなるようにプロパティを変更すると、前記項目にアクセスするための前記アクセス許可がそれに応じて追加され又は削除されることを特徴とする請求項１２記載の方法。
【請求項１４】
前記リストにアクセスするための前記アクセス許可は、前記項目に関して入手可能なアクセス権の種類を指定することを特徴とする請求項９記載の方法。
【請求項１５】
コンピュータプログラムセグメントが、１つ又は複数の他のコンピュータプログラムセグメントと通信することを可能にする１つ又は複数のコンピュータ読み取り可能な記録媒体であって、
要求を実行することができる１つ又は複数の他のコンピュータプログラムセグメントに伝達される、前記共有者のコンピュータ上の仮想フォルダ中で参照される前記共有者のコンピュータ上で実行されるクエリの前記結果に基づいて、１組の項目へのアクセス権をもたらすための前記要求を引き起こす１組のコンピュータ使用可能命令を備えることを特徴とするコンピュータ読み取り可能な記録媒体。
【請求項１６】
前記仮想フォルダは、静的リストを備えることを特徴とする請求項１５記載のコンピュータ読み取り可能な記録媒体。
【請求項１７】
前記リストに項目が追加され又は削除されると、前記項目のアクセスのためのアクセス許可がそれに応じて追加され又は削除されることを特徴とする請求項１６記載のコンピュータ読み取り可能な記録媒体。
【請求項１８】
前記仮想フォルダは、前記参照項目に関する１組の基準を有する動的リストを備えることを特徴とする請求項１５記載のコンピュータ読み取り可能な記録媒体。
【請求項１９】
項目が、前記リストの前記基準を満たし又は満たさなくなるようにプロパティを変更すると、前記項目にアクセスするための前記アクセス許可がそれに応じて追加され又ははずされることを特徴とする請求項１８記載のコンピュータ読み取り可能な記録媒体。
【請求項２０】
リストの共有者と被共有者の間で通信を行う方法であって、
前記共有者のコンピュータ上で前記リストにおいて参照される前記項目にアクセスするための呼び出しを前記被共有者から受け取ることであって、前記リストは、前記共有者のコンピュータ上で実行され、前記共有者のコンピュータ上に格納されるクエリの結果に基づくこと、
前記共有者から受け取った権限に応答して、前記項目への前記被共有者アクセスを提供すること
を含むことを特徴とする方法。
【請求項２１】
前記リストは静的リストであることを特徴とする請求項２０記載の方法。
【請求項２２】
前記リストに項目が追加され又は削除されると、前記項目への前記アクセス権がそれに応じて許可され又は拒絶されることを特徴とする請求項２１記載の方法。
【請求項２３】
前記リストは、前記項目に関する１組の基準を有する動的リストであることを特徴とする請求項２０記載の方法。
【請求項２４】
前記項目が前記リストの前記基準を満たし又は満たさなくなるように項目のプロパティが変化すると、前記項目がそれに応じて前記リストに追加され又は削除されることを特徴とする請求項２３記載の方法。
【請求項２５】
前記共有者は、前記項目へのアクセス権の種類を限定することができることを特徴とする請求項２０記載の方法。
【請求項２６】
リストにおいて参照される１組の項目を共有者が被共有者と共有することを可能にする１つ又は複数のコンピュータ読み取り可能な記録媒体であって、
前記被共有者に、前記共有者のコンピュータを経由して前記項目に直接アクセスすることを許可する１組のコンピュータ使用可能命令を備え、
前記リストにおいて参照される前記１組の項目は、前記共有者のコンピュータ上で実行されるクエリの結果に基づき、前記リストは、前記リストにおいて参照される前記項目の順序を含むことを特徴とするコンピュータ読み取り可能な記録媒体。
【請求項２７】
前記リストは、静的リスト又は動的リストの一方であることを特徴とする請求項２６記載のコンピュータ読み取り可能な記録媒体。
【請求項２８】
前記リストに項目が追加され又は削除されると、前記項目にアクセスするための前記被共有者のアクセス許可がそれに応じて追加され又ははずされることを特徴とする請求項２６記載のコンピュータ読み取り可能な記録媒体。
【請求項２９】
共有者と被共有者の間で、コンピュータシステム内の項目を共有する方法であって、
前記共有者のコンピュータ上で、スコープと基準を含むクエリを実行すること、
前記共有者のコンピュータ上で、前記クエリの結果に基づき、複数の参照項目を有する仮想フォルダを作成すること、
被共有者が、前記共有者のコンピュータにある前記参照項目へのリモートアクセス権を与えられるように、前記仮想フォルダを前記被共有者と共有すること
を含むことを特徴とする方法。
【請求項３０】
前記仮想フォルダは静的仮想フォルダであることを特徴とする請求項２９記載の方法。
【請求項３１】
前記共有者が前記仮想フォルダから項目を削除すると、前記被共有者は、前記項目へのリモートアクセス権を与えられなくなることを特徴とする請求項３０記載の方法。
【請求項３２】
項目が前記仮想フォルダに追加されると、前記被共有者は、前記追加項目へのリモートアクセス権を与えられることを特徴とする請求項３０記載の方法。
【請求項３３】
前記仮想フォルダは、前記参照項目に関するスコープおよび基準の組を有する動的仮想フォルダであることを特徴とする請求項２９記載の方法。
【請求項３４】
前記動的仮想フォルダにある項目が、前記動的仮想フォルダの前記基準を満たさなくなるようにプロパティを変更すると、前記被共有者は、前記項目へのリモートアクセス権を与えられなくなることを特徴とする請求項３３記載の方法。
【請求項３５】
前記動的仮想フォルダになかった項目が、前記動的仮想フォルダの前記基準を満たすようにプロパティを変更すると、前記被共有者は、前記項目へのリモートアクセス権を与えられることを特徴とする請求項３３記載の方法。
【請求項３６】
前記作成することは、前記複数の参照項目の順序を前記リスト内に定義することを含むことを特徴とする請求項１記載の方法。
【請求項３７】
前記作成することは、前記複数の参照項目の内の少なくとも１つに対応する注釈を前記リスト内に定義することを含むことを特徴とする請求項１記載の方法。
【請求項３８】
前記リストは、前記参照項目の所定の順序を含むことを特徴とする請求項９記載の方法。
【請求項３９】
前記リストは、前記複数の参照項目の内の少なくとも１つに対応する注釈を含むことを特徴とする請求項９記載の方法。
【請求項４０】
前記リストは、前記参照項目の所定の順序を含むことを特徴とする請求項２０記載の方法。
【請求項４１】
前記リストは、前記複数の参照項目の内の少なくとも１つに対応する注釈を含むことを特徴とする請求項２０記載の方法。
【請求項４２】
前記被共有者は、別のコンピュータから前記参照項目へのリモートアクセスが提供されることを特徴とする請求項１記載の方法。
【請求項４３】
前記リスト及び前記参照項目にアクセスすることは、別のコンピュータからリモートに実行されることを特徴とする請求項９記載の方法。
【請求項４４】
前記アクセス権をもたらすための前記要求は、別のコンピュータからのリモートアクセスを提供するための要求を含むことを特徴とする請求項１５記載のコンピュータ読み取り可能な記録媒体。
【請求項４５】
前記項目への被共有者アクセスを提供することは、前記項目への被共有者リモートアクセスを提供することを含むことを特徴とうする請求項２０記載の方法。
【請求項４６】
前記受け取ることは、ＡＰＩを介して前記呼び出しを受け取ることを含むことを特徴とする請求項２０記載の方法。
【請求項４７】
前記１組のコンピュータ使用可能命令は、前記被共有者が前記項目にリモートにアクセスすることを許可することを特徴とする請求項２６に記載のコンピュータ読み取り可能な記録媒体。
【請求項４８】
前記共有することは、前記被共有者に、前記参照項目へのリモートアクセスが提供されることを特徴とする請求項２９記載の方法。